(57)【要約】【目的】本発明は、構築したマンホール周辺を埋め戻し土で効率よく締め固めできるマンホールを提供するものである。【構成】本発明は、管渠の起点及び方向、勾配、管渠径の変化する箇所、段差の生ずる箇所、管渠の会合する箇所等に設けられるマンホールであって、マンホールの側壁下端に、壁面を貫通してグラウト孔を装備したことを特徴とするマンホールである。【選択図】        図１
2004183383.tif 000002
【特許請求の範囲】
【請求項１】
管渠の起点及び方向、勾配、管渠径の変化する箇所、段差の生ずる箇所、管渠の会合する箇所等に設けられるマンホールであって、
マンホールの側壁下端に、壁面を貫通してグラウト孔を装備したことを特徴とするマンホール。
【発明の詳細な説明】
【０００１】
【発明の属する技術分野】
本発明は、構築したマンホール周辺を埋戻土で効率よく埋め戻すことのできるマンホールに関するものである。
【０００２】
【従来技術】
マンホールの設置位置は、管渠の起点及び方向、勾配、管渠径の変化する箇所、段差の生ずる箇所、管渠の会合する箇所に構築される。マンホールの構築に当たっては、所定の深さの管渠部分まで掘削する必要があり、周辺の地盤の崩壊を防止するために土留壁によって立坑を構築し、周辺地盤を防護する。下水道のマンホールは、底版、管渠取付壁、直壁、斜壁、高さ調整リングから構成され、通常はコンクリートを打設して製作されている。近年は、現場での構築を効率よくするために、直壁や斜壁部材を分割してあらかじめ工場等で製作した組立マンホールを準備しておき、必要に応じて必要数だけ現場に搬入し、これらを組み立てて効率よくマンホールを構築する方法がとられている。組立マンホールの各部材は、鉄筋コンクリート製となっており、現場で構築する際、底版を据え付け、その上に順次部材を積み重ねて施工する。
【０００３】
マンホールの構築が完了すると、前記立坑内に埋戻土を投入して埋め戻しが行われる。埋め戻しに際しては、工事完了後に地盤沈下等を招来しないように、十分に締め固めておくことが重要である。埋め戻し方法としては、所定の厚さづつに埋戻土を投入し、締固機によって十分に締め固めた後、次の埋戻土を投入して締め固めるという方法が一般に採用されている。埋戻土としては、一般に砂質土が用いられる。
【０００４】
前記した締め固め方法では、埋戻土は通常砂質土のために、間隙は土粒子の噛み合わせによって形成されており、表面からの締固機による振動だけでは、下方の土粒子間の噛み合わせを崩すことができなく、大きな間隙を持ったままで復旧されることとなる。このため、工事が完了からある程度の時間が経過してから地表面が沈下したり、沈下に伴いマンホールの取り付け部付近で管渠が座屈するという問題が発生している。このため、締固機と併用して埋戻土に水をかけ、水によって土粒子間の噛み合わせを崩す水締め方式が行われている。
【０００５】
【発明が解決しようとする課題】
前記した水締め方式により、土粒子間の噛み合わせを崩すことは可能となったが、上部から流す水が下部へと浸透して、埋戻土の下方では飽和状態となって粒子が緩み、折角締め固めた埋戻土の締め固め効果がなくなってしまう問題が発生する。このため、従来と同様に復旧後に道路沈下等を招来することとなる。
【０００６】
このため、本発明は、構築したマンホール周辺を埋戻土で効率よく埋め戻すことができるマンホールを提供するものである。
【０００７】
【課題を解決するための手段】
すなわち本発明は、管渠の起点及び方向、勾配、管渠径の変化する箇所、段差の生ずる箇所、管渠の会合する箇所等に設けられるマンホールであって、
マンホールの側壁下端に、壁面を貫通してグラウト孔を装備したことを特徴とするマンホールである。
【０００８】
マンホールは、一般にコンクリート部材で製作され、現場打ちでの製作でも良いし、工場製作による組立マンホールでもよい。マンホールの側壁下端に設けられるグラウト孔は、壁面を貫通して設けられる。グラウト孔内には、内ネジ切りをしたソケット等を埋め込んでおくことによって、マンホール内よりバルブを設置することができる。また、グラウト孔の外壁面に、フィルターを設置しておくことによって、マンホール内への土砂の侵入を防止する。
【０００９】
グラウト孔の設置数は、マンホール径や高さによって変化させれば良く、通常は対向する位置の２箇所に設置する。
【００１０】
マンホール内には、排水ポンプが設置され、埋戻土の表面から浸透した水がグラウト孔より水抜きされ、地上へと排出する。
【００１１】
水締めによる締め固めが完了後は、グラウト孔を利用してモルタルや樹脂材を埋戻土に注入して、マンホール周辺の地盤の改良を行うことができる。
【００１２】
【発明の実施の形態】
以下、本発明の実施形態を図面を基に説明する。図１は、本発明のマンホールを説明する断面図である。布設された管渠１３の合流点に、底版５を据え付け、その上に管渠取付壁１の取付孔７と管渠１３を連結させて管渠取付壁１を設置する。さらに、その上方に直壁２、斜壁３、マンホール蓋４を積み重ねて、道路面と同じ高さにマンホールを構築する。マンホール周辺は、周辺地盤が崩壊しないように、鋼矢板等による土留壁１１によって防護されている。
【００１３】
マンホールの構築が完了すると、管渠取付壁１に装備されたグラウト孔６にバルブ１０を取り付け、マンホール内には底版５上に排水ポンプ１５を設置する。そして、マンホールの周辺の立坑内に所定の厚さづつ埋戻土１２を投入し、締固機（図示省略）により締め固める。締固機による締め固めと並行して、地上よりホース等による配水管１４で埋戻土１２に水をかけ、水締めを行う。埋戻土１２にかけられた水は、埋戻土１２内を浸透して下方に移動し、管渠取付壁１の下端に設けられたグラウト孔６よりマンホール内に入る。このとき、グラウト孔６に取り付けられたバルブ１０は、開放されている。マンホール内に入った水は、排水ポンプ１５を稼働することによって排水管１６を介して地上に排出される。排出された水は、再度水締め用に再利用することも可能である。
【００１４】
図２は、管渠取付壁１を詳細に示す断面図である。壁面中間部には管渠１３の位置に合わせて取付孔７が設けられている。壁面の下端には、対向する位置にグラウト孔６が設けられている。本実施形態では、組立マンホールで説明したが、現場にてコンクリートを打設して構築する方法を用いることも可能である。このときは、あらかじめ管渠１３部分とグラウト孔６部分を型枠材でくり抜いておけばよい。グラウト孔６は、本実施形態では、２箇所で例示したが、マンホール径等によって増減させることができる。
【００１５】
図３は、グラウト孔６を詳細に説明する断面図である。グラウト孔６には、内ネジを設けたソケット等の固定具８が型枠材を兼ねて設置されている。グラウト孔６の外面は、埋戻土１２がマンホール内に侵入しないようにフィルター９が設置されている。グラウト孔６の内側には、バルブ１０が取り付けられて埋戻土１２内に飽和した水を取り除く。水締めによる埋戻土１２の締め固めが完了すると、バルブ１０を取り外し、窪み部分に止水処理を施して表面を仕上げしてマンホールの埋め戻しを完了する。
【００１６】
水締め後にマンホール周辺の地盤改良を行う場合は、バルブ１０に注入ホースを接続し、マンホール周辺の埋戻土１２にモルタルや樹脂材を注入して地盤の改良を行う。モルタル等の注入材がゲル化したかどうかの判断は、バルブ１０を開いて確認すればよい。
【００１７】
【発明の効果】
上記したように、本発明のマンホールにより、構築したマンホール周辺を水締めした水をマンホールの下端から回収することによって、埋戻土を効率よく確実に締め固めることが可能となり、工事完了後に路盤沈下や接続部の管渠を破損することがなくなった。
【００１８】
【図面の簡単な説明】
【図１】本発明のマンホール説明する断面図である。
【図２】管渠取付壁を詳細に説明する断面図である。
【図３】グラウト孔を詳細に説明する断面図である。
【符号の説明】
１              管渠取付壁
２              直壁
３              斜壁
４              マンホール蓋
５              底版
６              グラウト孔
７              取付孔
８              固定具
９              フィルター
１０              バルブ
１１              土留壁
１２              埋戻土
１３              管渠
１４              配水管
１５              排水ポンプ
１６              排水管
【図１】
2004183383.tif 000003
【図２】
2004183383.tif 000004
【図３】
2004183383.tif 000005